(57)【特許請求の範囲】
【請求項１】
地震感知器と、当該地震感知器で検出された地震情報に基づき、エレベータ乗りかごの動作を制御する制御装置と、当該制御装置に接続され、前記乗りかごの運転状態を監視し、この監視状態を外部に送信し、外部からの前記乗りかごに対する制御指令に応じて前記乗りかごの動作を制御するように前記制御装置を作動させる遠隔監視装置を有するエレベータ装置と、
前記遠隔監視装置からの前記乗りかごの監視状態を受信し、前記制御指令を送信する監視端末装置を有する監視センターとを有し、
前記エレベータ装置が地震を検出してエレベータ装置の乗りかごが運転を休止した場合に、前記監視センターは、前記遠隔監視装置からの乗りかごの運転休止の情報を受信し、前記乗りかごの運転復旧を行う技術者の派遣を行って前記乗りかごの運転復旧を支援するエレベータ装置の地震復旧支援装置において、
前記監視センターは、地震発生に伴って予め設定されている前記エレベータ装置に対する前記技術者の巡回順位と、前記遠隔監視装置から送信される地震の規模の情報と、地震発生時の前記技術者の作業スケジュールと、前記地震の震度が大きくなるに従って増加させるように算出される前記技術者の現在位置から前記エレベータ装置までの移動時間とに基づきエレベータ装置への復旧巡回予定時刻を算出し、当該復旧巡回予定時刻を前記遠隔監視装置に送信する手段を備え、
前記エレベータ装置は、前記監視センターからの復旧巡回予定時刻を受信し、当該復旧巡回予定時刻を表示する表示装置を備えたことを特徴とするエレベータ装置の地震復旧支援装置。
【請求項２】
請求項１記載の地震復旧支援装置において、
前記監視センターは、前記送信した復旧巡回予定時刻を変更して再設定可能な手段を備えることを特徴とするエレベータ装置の地震復旧支援装置。
【請求項３】
請求項１または２記載の地震復旧支援装置において、
前記エレベータ装置は、前記復旧巡回予定時刻を前記乗りかごの乗り場表示器に表示させる表示装置を備えたことを特徴とするエレベータ装置の地震復旧支援装置。
【発明の詳細な説明】
【技術分野】
【０００１】
本発明は、地震発生時のエレベータ装置の地震復旧支援装置に係り、特に、地震により、乗りかごの運転を休止した多数台のエレベータ装置の復旧作業の際に、顧客の不安の軽減を可能とするエレベータ装置の地震復旧支援装置に関するものである。
【背景技術】
【０００２】
地震が発生した場合、一般に、エレベータ装置は、地震による揺れが一定値を超えた場合に、エレベータ装置の地震感知器の作動により、最寄階に低速運転後、休止する仕組みとなっている。その後、エレベータ装置の保守会社の技術者が、当該エレベータ装置が設置されている建物に出向き、当該エレベータ装置の地震による損傷状態を確認し、問題がなければエレベータ装置を復旧する。ところが、エレベータ装置の地震感知器は、地震が発生した地域において一律に作動するわけではなく、例えば、建物内のエレベータ装置の地震感知器が設置されている場所、建物の構造の相違等により、エレベータ装置毎に地震感知器が作動する条件が異なる。そのため、エレベータ装置の保守会社の技術者は、被災地の建物の全てのエレベータ装置を巡回し、地震感知器の動作状況を確認し、復旧作業を行っている。しかしながら、前記復旧作業は、前記技術者が、被災地の多数台のエレベータ装置を順番に巡回して復旧するため、被災したエレベータ装置の全ての復旧までに多大な時間を要する。これにより、巡回順番が後半の建物の所有者または利用者は、復旧作業が何時開始されるのか不明なため、復旧の遅れに対する不安感を抱くことになる。
【０００３】
そこで、地震復旧作業を効率的かつ迅速に行うために、地震感知器の作動により休止しているエレベータ装置が設置されている建物のみを巡回対象とすべく、一般公衆回線を利用した遠隔監視システムにより、遠隔で地震感知器の作動により休止しているエレベータ装置を確認し、休止しているエレベータ装置が設置されている建物のみエレベータ装置の保守会社の技術者が巡回する仕組みが提案されている。(例えば、特許文献１参照)
【特許文献１】特開２００２−９２７６５号公報
【発明の開示】
【発明が解決しようとする課題】
【０００４】
しかしながら、上述した従来技術で提案されたエレベータ装置の地震復旧支援装置では、前記保守会社の技術者の到着時刻が不明なため、当該エレベータ装置の所有者や利用者は、前記技術者の到来があるのかどうかが不明であり、不安感を抱くことになる。
【０００５】
本発明は、このような問題を解決するもので、その目的は、地震によりエレベータ装置の運転が休止した場合、当該エレベータ装置が設置されている建物へのエレベータ装置の保守会社の技術者の巡回予定時刻を事前に通知し、当該エレベータ装置の所有者または利用者の不安感を軽減することの可能なエレベータ装置の地震復旧支援装置を提供することにある。
【課題を解決するための手段】
【０００６】
上記目的を達成するために、本発明による第１の手段としては、地震感知器と、当該地震感知器で検出された地震情報に基づき、エレベータ乗りかごの動作を制御する制御装置と、当該制御装置に接続され、前記乗りかごの運転状態を監視し、この監視状態を外部に送信し、外部からの前記乗りかごに対する制御指令に応じて前記乗りかごの動作を制御するように前記制御装置を作動させる遠隔監視装置を有するエレベータ装置と、前記遠隔監視装置からの前記乗りかごの監視状態を受信し、前記制御指令を送信する監視端末装置を有する監視センターとを有し、前記エレベータ装置が地震を検出してエレベータ装置の乗りかごが運転を休止した場合に、前記監視センターは、前記遠隔監視装置からの乗りかごの運転休止の情報を受信し、前記乗りかごの運転復旧を行う技術者の派遣を行って前記乗りかごの運転復旧を支援するエレベータ装置の地震復旧支援装置において、前記監視センターは、地震発生に伴って予め設定されている前記エレベータ装置に対する前記技術者の巡回順位と、前記遠隔監視装置から送信される地震の規模の情報と、地震発生時の前記技術者の作業スケジュールと、前記地震の震度が大きくなるに従って増加させるように算出される前記技術者の現在位置から前記エレベータ装置までの移動時間とに基づきエレベータ装置への復旧巡回予定時刻を算出し、当該復旧巡回予定時刻を前記遠隔監視装置に送信する手段を備え、前記エレベータ装置は、前記監視センターからの復旧巡回予定時刻を受信し、当該復旧巡回予定時刻を表示する表示装置を備えたことを特徴とするエレベータ装置の地震復旧支援装置としたものである。
【０００７】
本発明による第２の手段としては、前記第１の手段記載の地震復旧支援装置において、前記監視センターは、前記送信した復旧巡回予定時刻を変更して再設定可能な手段を備えることを特徴とするエレベータ装置の地震復旧支援装置としたものである。
【０００８】
本発明による第３の手段としては、請求項１または２記載の地震復旧支援装置において、前記エレベータ装置は、前記復旧巡回予定時刻を前記乗りかごの乗り場表示器に表示させる表示装置を備えたことを特徴とするエレベータ装置の地震復旧支援装置としたものである。
【発明の効果】
【０００９】
本発明によれば、監視センターが、地震発生に伴って予め設定されている前記エレベータ装置に対する前記技術者の巡回順位と、前記エレベータ装置の遠隔監視装置から送信される地震の規模の情報と、地震発生時の前記技術者の作業スケジュールと、前記地震の震度が大きくなるに従って増加させるように算出される前記技術者の現在位置から前記エレベータ装置までの移動時間とに基づき前記エレベータ装置への復旧巡回予定時刻を算出し、当該復旧巡回予定時刻を前記エレベータ装置の遠隔監視装置に送信する手段を備え、エレベータ装置が、前記監視センターからの復旧巡回予定時刻を受信し、当該復旧巡回予定時刻を表示する表示装置を備えるようにしたので、地震によりエレベータ装置が運転を休止した場合に、当該エレベータ装置へのエレベータ装置の保守会社の技術者の巡回予定時刻を当該エレベータ装置に事前に送信し、当該エレベータ装置に、その旨を表示するようにして、当該エレベータ装置の所有者または利用者の不安感を軽減できるようなエレベータ装置の地震復旧支援装置を提供可能としたものである。
【発明を実施するための最良の形態】
【００１０】
本発明においては、エレベータ装置の乗りかごの運転状態を監視し、この監視状態を監視センターに送信し、監視センターから前記乗りかごに対する制御指令に応じて前記乗りかごの動作を制御するようにエレベータ装置の制御装置を作動させる遠隔監視装置と、当該遠隔監視装置からの前記乗りかごの監視状態を受信し、前記乗りかごに対する制御指令を送信する監視センターの監視端末装置との間で所定信号の送受信を行う一般公衆回線等の通信手段を利用し、地震発生に伴いエレベータ装置の乗りかごが運転休止した際に、前記監視センターから、前記エレベータ装置の乗りかごの運転復旧を行う保守会社の技術者の到着前に、自動的に、休止したエレベータ装置への前記技術者の巡回予定時刻を当該エレベータ装置に送信し、エレベータ装置に表示させるようにしたものである。
【００１１】
即ち、次のような対応を行うようにしたものである。地震発生後、エレベータ装置の地震感知器の作動によりエレベータ装置が休止状態になったかどうかを迅速に確認するため、前記監視センターから自動で前記一般公衆回線及び、前記遠隔監視装置を介して前記地震感知器の作動状況の情報を読み出す。読み出した結果、前記地震感知器が作動して休止状態となったエレベータ装置に対しては、監視センターは、出動要請中の旨を前記エレベータ装置の制御装置に対して送信し、前記エレベータ装置の表示装置、例えば、乗り場表示器に表示させる。続いて、前記監視センターにおいて、休止状態となったエレベータ装置に関する情報と、前記地震感知器の作動状況の情報から得られる地震の規模の情報と、巡回技術者の当日の作業スケジュール情報と、予め決めておいた前記技術者のエレベータ装置の巡回順位の情報とから端末装置を使用して、前記技術者の復旧巡回予定時刻を算出して復旧巡回スケジュールを自動的に作成する。このスケジュールを作成後、前記復旧巡回予定時刻を前記監視センターから遠隔で前記一般公衆回線及び前記遠隔監視端末を介して前記エレベータ装置の制御装置に対して送信する。前記エレベータ装置の制御装置は、受信した前記復旧巡回予定時刻を前記エレベータ装置の表示装置に表示させることによって、エレベータ装置の所有者や利用者が前記技術者の到着時刻を事前に認識して、エレベータ装置の所有者や利用者の不安感を軽減させられるようにしたものである。
【００１２】
前記監視センターは、出動中の技術者から復旧巡回予定時刻に遅延や繰上げ等の変更が生じた旨の連絡を受けた際に、前記復旧巡回スケジュールの調整を行って、再度、復旧巡回スケジュールを作成し、変更後の復旧巡回予定時刻を再度、一般公衆回線及び遠隔監視装置を介して前記エレベータ装置の制御装置に送信し、エレベータ装置の表示装置に表示させるようにした場合には、エレベータ装置の所有者や利用者の不安感をより軽減できるので好ましい。
【００１３】
さらに、監視センターは、出動中の技術者から復旧巡回予定時刻が未定との通報を受けたとき、出動要請中の旨を、前記通信手段を介してエレベータ装置の制御装置に送信し、前記表示装置の表示を変更してその旨を表示することもできる。
【００１４】
巡回完了後、エレベータ装置が正常に復帰した場合は、前記遠隔監視装置から正常復帰の信号を、前記通信手段を介して前記監視センター内の監視端末装置に送信することにより、監視センターは、復旧完了の情報を受信し、前記監視端末装置内の地震復旧管理情報を更新する。また、エレベータ装置が地震による損傷が大きく、正常に復帰できない場合には、監視センターでは、巡回技術者から復旧不可能の旨の連絡を受けて前記地震復旧管理情報を更新し、以後に本格的復旧対応処理が必要である旨の情報を入力し、本格的復旧対応処理を指示する。このように、エレベータ装置の復旧結果を一覧で管理することによって、復旧漏れを防止することができ、エレベータ装置の所有者や利用者のエレベータ装置の保守会社に対する不信感を排除することが可能となる。
【００１５】
前記エレベータ装置の表示装置としては、前記監視センターから前記通信手段を介して送信された復旧巡回予定時刻を表示できる表示手段であれば十分であるが、この表示装置として前記エレベータ装置の乗り場に画面型表示部を設けたり、エレベータ装置の管理居室内に設置されるモニター用の画面型表示装置を使用することができる。しかし、前記エレベータ装置の各階の乗り場に取り付けられている乗り場表示器を、前記復旧巡回予定時刻を表示する表示装置として兼用する場合には、新たな表示装置を取り付ける費用が不要となり、安価に設置することが可能となるだけでなく、各階の利用者に対して情報の伝達が可能となり、利用者の不安感を低減することができるので好適である。
【００１６】
また、前記監視センターは、少なくとも、前記エレベータ装置の遠隔監視装置と通信を行う機能と、当該通信機能により、前記遠隔監視装置から読み出した情報データを格納し、管理する記憶装置と、予め決めておいた地震時の復旧巡回順位スケジュールを格納する記憶装置と、保守会社の技術者の作業スケジュールを格納する記憶装置を備え、これらの記憶装置に格納された情報と前記遠隔監視装置からの地震の規模の情報とから復旧巡回予定時刻を算出する機能を備えた監視端末装置を備えていれば十分であるが、さらに、この監視端末装置に、前記技術者の出動拠点となるエレベータ装置の保守会社の営業所に設置された端末と通信を行う機能を備えるようにすることもできる。このように、前記営業所と監視端末装置とで通信可能として、前記営業所で、監視端末装置からの復旧巡回予定時刻の表示を可能とすると同時に、営業所からも復旧巡回予定時刻の変更処理を行うことを可能とする場合には、より、的確かつ迅速に対応することができるので好ましい。
【００１７】
次に、本発明に係わるエレベータ装置の地震復旧支援装置の一実施態様を、図１〜図５に、基づいて説明する。
【００１８】
図１は、本発明の一実施形態に係わるエレベータ装置の地震復旧支援装置の概略構成を示すブロック図であり、１はエレベータ装置の乗りかご、２は遠隔監視装置、３はエレベータ装置の乗りかご１の運転を制御するエレベータ装置の制御盤、４はエレベータ装置の乗りかご１の昇降路、５は乗りかご１の停止階等表示する乗り場側表示器で、６は、後述する復旧巡回予定時刻等を表示する乗り場側画面型表示部、７は各階乗り場側床、８は地震感知器である。
【００１９】
遠隔監視装置２は、エレベータ装置の制御盤３と接続され、乗りかご１の運転状態を制御盤３からの情報によって監視し、この監視状態を外部の監視センター２１に一般公衆回線１１を介して送信すると共に、外部の監視センター２１からの乗りかご１に対する制御指令を一般公衆回線１１を介して受信し、この制御指令に基づいて乗りかご１の動作を制御するように制御盤３を作動させる。
【００２０】
また、地震感知器８は、地震による揺れが一定値を超えた場合に、地震検出信号を出力し、この地震検出信号を制御盤３に送給し、この検出信号によって制御盤３は、乗りかご１の運転を休止すると共に、乗りかご１が運転を休止した情報及び地震の規模の情報を遠隔監視装置２に送給する。遠隔監視装置２は、一般公衆回線１１を介して前記乗りかごの運転休止情報と共に、地震の規模情報を監視センター２１に送信する。
【００２１】
監視センター２１には、前記遠隔監視装置２と一般公衆回線１１を介して送受信可能な監視端末装置２２を備えており、監視端末装置２２は、前記遠隔監視装置２からの乗りかご１の監視状態を受信すると共に乗りかご１に対する制御指令を送信する。また、監視端末装置２２は、エレベータ装置の製造番号、所有顧客名、号機名などのエレベータ装置に関する各種情報を格納する記憶装置２３、予め決められている地震時の復旧作業を行うエレベータ装置の保守会社の技術者のエレベータ装置の巡回スケジュールを格納する記憶装置２６、前記技術者の作業スケジュールを格納する記憶装置２７と接続されており、これらの記憶装置に格納されている情報及び遠隔監視装置２から送信される地震の規模の情報とから自動的に前記技術者の復旧巡回予定時刻を算出し、この結果をこの監視端末装置２２のディスプレイ２６に表示すると共に、一般公衆回線を介して遠隔監視装置２に送信する。
【００２２】
さらに、監視端末装置２２は、エレベータ装置の保守会社内の構内通信網３１を介して全国各地の技術者の出動拠点である保守会社の営業所４１内に設置されている端末装置４２と接続されており、前記監視端末装置２２に表示される復旧巡回予定時刻等の情報を端末装置４２のディスプレイ４４に表示させると共に、端末装置４２からも監視端末装置２２または一般公衆回線４５を通じて、エレベータ装置の遠隔監視装置２を介して制御盤３に対して乗りかご１の運転を制御可能となっている。
【００２３】
監視センター２１には、後方支援者２４が監視端末装置２２を監視すると共に、側に備え付けの電話装置２５で、復旧支援に出動している保守会社の技術者５９とこの技術者５９が所持している携帯電話６０とで通話することによって、後述するような復旧巡回予定時刻の変更、再設定等の対応が可能なようになっている。同様に、保守会社の営業所４１にも後方支援者４３が端末装置４２を監視していて、側に設置されている電話装置４４で、前記技術者５９及び監視センター２１の後方支援者２４とも情報交換を行い、復旧巡回予定時刻等の変更、再設定等の対応が可能なようになっている。
【００２４】
次に、地震発生に伴うエレベータ装置の復旧支援作業の一つの実施態様に付いて、図２〜図５によって説明する。
【００２５】
図２は、地震発生に伴うエレベータ装置の復旧支援作業の一つの実施態様を示すフロー図で、図３は、監視センター２１の監視端末装置２２及び営業所４１の端末４２のディスプレイ２６及び４４に表示される一例の地震復旧管理情報の確認図面、図４は、エレベータ装置の乗り場表示器を示す図で、（Ａ）〜（Ｃ）は、乗り場表示器の階床位置表示部に表示される文字の時間経過と共に変化を示す図で、エレベータ装置の乗り場表示器５で表示される「出動要請中」の表示形態の一例を示す図、図５は、エレベータ装置の乗り場側画面型表示部６に表示される表示文字を示す図である。
【００２６】
地震が発生した場合に、図２に示すように、Ｓ１１において、監視センター２１の監視端末装置２２から地震発生地域のエレベータ装置の地震感知器８の作動状況を、遠隔監視装置２及び一般公衆回線１１を介して読み出す。Ｓ１２において、前記地震感知器８の作動状況を記憶部２３に格納する。Ｓ１３において、地震感知器８が作動しておらず、エレベータ装置の乗りかご１が通常状態であった場合には、Ｓ３１において対応不要とし、復旧作業を終了する。
【００２７】
Ｓ１３において、地震感知器８が作動して乗りかご１が休止状態であった場合には、Ｓ１４において、監視センター２１の監視端末装置２２から、遠隔監視装置２及び一般公衆回線１１を介してエレベータ装置の制御盤３に対して、乗り場表示器５及び乗り場側画面表示部６に所要の文字を表示する指令を送信する。当該指令を受信したエレベータ装置の制御盤３は、乗り場表示器５及び乗り場側画面表示部６に受信した所要の文字列を表示させる。この時点で、乗り場表示器５及び乗り場側画面表示部６には、例えば、「出動要請中です。しばらくお待ちください。」と表示する。
【００２８】
Ｓ１５において、監視センター２１の監視端末装置２２を操作し、地震感知器８の作動状況の情報を表示し確認する。Ｓ１６において、休止状態となったエレベータ装置の情報と、記憶装置２６に格納されている予め決められている地震復旧の巡回スケジュールの情報と、記憶装置２７に格納している巡回技術者５９の当日の作業スケジュールから取得した前記技術者５９の現在位置の情報から、復旧巡回スケジュールを自動的に作成する。さらに、地震の規模、例えば、地震の震度やマグニチュードの情報を基に、巡回時における建物から建物への移動時間を決定し、各エレベータ装置への到着時間を算出する。ここで、前記移動時間の算出方法の一例として、標準的な移動時間を１とすると、震度３の場合には、１．５倍、震度４の場合には、２．０倍という具合に、震度に比例して移動時間を動的に変化させることにより、より正確な復旧巡回予定時刻を算出する。
【００２９】
Ｓ１７において、監視センター２１の監視端末装置２２から、遠隔監視装置２及び一般公衆回線１１を介して、エレベータ装置の制御盤３に対して、乗り場表示器５及び乗り場側画面表示部６に所要の文字を表示する指令を送信する。当該指令を受信した制御盤３は、乗り場表示器５及び乗り場側画面表示部６に受信した文字列を表示させる。この時点で、乗り場表示器５及び乗り場側画面表示部６には、例えば、「出動中です。到着予定時刻は、１２：５０です。」と表示する。
【００３０】
Ｓ１８において、Ｓ１６で作成した巡回スケジュールに基づき、エレベータ装置の保守会社の技術者５９に出動指示を連絡する。Ｓ１９において、前記技術者５９が巡回予定時間内に現場に到着できた場合、Ｓ２０において、エレベータ装置の損傷状態の調査を行い、Ｓ２１において、エレベータ装置が復旧可能な状態であれば、Ｓ２２において、エレベータ装置を復旧する。復旧完了後、Ｓ２３において、前記遠隔監視装置２及び一般公衆回線１１を介して、監視センター２１の監視端末装置２２に復旧の通報を行い、記憶装置２３の地震復旧管理情報を更新する。Ｓ２１において、エレベータ装置の損傷が大きく、即時復旧が不可能であれば、Ｓ５１において、前記技術者５９が携帯電話６０を使用して監視センター２１の電話装置２５に電話をかけ、後方支援者２４に対して即時復旧不可能の連絡を行い、連絡を受信した後方支援者２４は、Ｓ２４において、手動にて地震復旧管理情報の更新を行う。
【００３１】
また、Ｓ１９において、前記技術者５９が予定時刻内に現場に到着できない場合、Ｓ４１において、前記技術者５９は、携帯電話６０を使用して監視センター２１内の電話装置２５を介して前記支援者２４に対して、当該エレベータ装置が設置されている建物への到着可能な時刻を連絡する。Ｓ４２において、Ｓ４１で確認した時刻を基に、巡回スケジュールを修正し、Ｓ４３において、Ｓ４２で修正した巡回スケジュールの時刻を、監視センター２１の監視端末装置２２から、遠隔監視装置２及び一般公衆回線１１を介して、エレベータ装置の制御盤３に対して、乗り場表示器５及び乗り場側画面表示部６に所要の文字を表示する指令を送信する。前記指令を受信したエレベータ装置の制御盤３は、乗り場表示器５及び乗り場側画面表示部６に受信した文字列を表示させる。この時点で、乗り場表示器５及び乗り場側画面表示部６に、例えば、「出動中です。到着予定時刻は、１３：２０です。」と表示する。前記技術者５９は、修正した巡回スケジュールに従い、巡回を続行する。
【００３２】
また、監視センター２１の監視端末装置２２で実施する地震感知器８の作動状態及び乗り場表示器５と乗り場側画面表示部６に文字を表示する指令は、前記監視端末装置２２に、構内通信網３１を介して接続された営業所４１の端末装置４２を使用することにより、エレベータ装置の保守会社の出動拠点である営業所４１でも実施可能となる。
【００３３】
さらに、監視センター２１内の前記後方支援者２４及び電話装置２５による後方支援を、営業所４１内の後方支援者４３及び電話装置４４で実施することにより、支援作業の分散化を図ることができるため、より広域の地震復旧支援に対応することができる。
【００３４】
次に、図１の監視端末装置２２または端末装置４２のディスプレイ２６または４４に表示する地震復旧管理情報の確認画面及び乗り場表示器５に表示する手動送信手段の画面例を、図３及び図４に示す。
【００３５】
図３において、５１は対象エレベータ装置を特定する製造番号の欄、５２は対象エレベータ装置が設置されている建物名称の欄、５３は対称エレベータ装置の号機名の欄、５４は対象エレベータ装置の地震感知器８の作動状況を示す欄、５５は対象エレベータ装置が設置されている建物へのエレベータ装置の保守会社の技術者の巡回到着予定時刻の欄、５６は前記技術者５９が前記該当建物に到着した時刻の欄、５７は対応する前記技術者５９の名前の欄、５８は前記到着予定時刻５５の時刻情報を、対象エレベータ装置の乗り場表示器５及び乗り場側画面表示部６に表示するために、遠隔で送信可能な画面タッチ式の操作ボタンである。
【００３６】
図２のＳ１５及びＳ２３の地震復旧管理情報の確認は、前記図３の地震感知器８の作動状況を示す欄５４で確認する。Ｓ４２の巡回スケジュールの作成及び修正は、到着予定時刻の欄５５の予定時刻及び対応者の欄５７に技術者５９の名前を入力することにより作成する。Ｓ４３の乗り場表示器５に文字表示指令送信は、到着予定時刻の欄５５に到着予定時刻を入力した後、操作ボタン５８を押下することにより実施する。
【００３７】
次に、図１のエレベータ装置の乗り場表示器５に、前記文字表示指令送信に基づく表示する情報の表示内容の一例を、図４を用いて説明する。
【００３８】
図４（Ａ）、（Ｂ）、（Ｃ）において、６２はエレベータ装置の乗り場表示器５の階床位置表示部、６３は上方向呼び登録ボタン、６４は下方向呼び登録ボタンで、一般に乗り場表示器５は、図１に示すようにエレベータ装置の各階毎の乗り場側７に設置されている。
【００３９】
図２のＳ１４、Ｓ１７及びＳ４３において、エレベータ装置の制御盤３が文字表示指令を受信した場合に受信した文字を乗り場表示器５に表示する。一般に、乗り場表示器５には、図１に示すように、エレベータ装置の階床位置を表示する部分(図１では、「２」を表示)があり、文字を表示することが可能である。しかしながら、一般に、乗り場表示器５の階床位置表示部６２(図４参照)は、表示できる文字数が制限されており、長文を一度に表示することができない。そこで、表示すべき文字を、図４（Ａ）、（Ｂ）、（Ｃ）に示すように、例えば、縦方向に移動させながら表示し、全ての文字を表示し終えたならば再度最初の文字から表示させることにより長文を表示することが可能となる。これにより各階の利用者に対して情報の伝達が可能となり、不安感を低減させることができる。
【００４０】
次に、図１のエレベータ装置の乗り場側画面型表示部６に表示する情報の表示内容の一例について図５を用いて説明する。
【００４１】
図５において、７２は、エレベータ装置の乗り場側画面型表示部６の表示部分、７３は表示文字の一例である。一般に、乗り場側画面型表示部６は、液晶型表示器を使用しており、一度に長文の表示が可能であり、さらに画像表示も可能である。
【００４２】
Ｓ１４、Ｓ１７及びＳ４３において、エレベータ装置の制御盤３が文字表示指令を受信した場合に、受信した文字を乗り場側画面型表示部６の表示部分７２に表示する。長文を一度に表示可能であり、さらに、動画、静止画の画像も合わせて表示させることができるため、より分かりやすく利用者に情報の伝達が可能となり、より一層不安感を低減させることができる。
【図面の簡単な説明】
【００４３】
【図１】本発明の一実施態様に係わるエレベータ装置の地震復旧支援装置の概略構成を示すブロック図である。
【図２】本発明の一実施態様のエレベータ装置の地震復旧支援装置の動作を示すフロー図である。
【図３】本発明の一実施態様のエレベータ装置の地震復旧支援装置で使用される端末装置のディスプレイに表示される支援操作を行う操作画面の一例を示す図である。
【図４】本発明の一実施態様のエレベータ装置の地震復旧支援装置で使用されるエレベータ装置の乗り場表示器を示す図で、（Ａ）〜（Ｃ）は、乗り場表示器の階床位置表示部に表示される文字の時間経過と共に変化を示す図である。
【図５】本発明の一実施態様のエレベータ装置の地震復旧支援装置で使用されるエレベータ装置の乗り場側画面型表示部に表示される表示文字を示す図である。
【符号の説明】
【００４４】
１    エレベータ装置の乗りかご
２    遠隔監視装置
３    エレベータ装置の制御盤
４    エレベータ装置の昇降路
５    エレベータ装置の乗り場表示器
６    エレベータ装置の乗り場側画面型表示部
７    各階の乗り場側床
８    地震感知器
１１  一般公衆回線
２１  監視センター
２２  監視端末装置
２３、２６、２７    記憶装置
２４、４３    後方支援者
２５、４４    電話装置
２６  監視端末装置のディスプレイ
３１  構内通信網
４１  保守会社の営業所
４２  端末装置
４４  端末装置のディスプレイ
５８  操作ボタン
５９  保守会社の技術者
６０  携帯電話
６２  階床位置表示部
７２  乗り場側画面型表示部の表示部分
【図１】
0004834382.tif 000002
【図２】
0004834382.tif 000003
【図３】
0004834382.tif 000004
【図４】
0004834382.tif 000005
【図５】
0004834382.tif 000006